(57)【要約】【課題】起動期間が短く、装置構成や制御システムが簡素な水素製造装置の起動方法及び水素製造装置を提供する。【解決手段】改質反応器２２とシフト反応器３２と選択酸化反応器４２とボイラー５とを備えた水素製造装置１の起動時に、これら各反応器２２〜４２、ボイラー５に設けられたバーナー２１、３１、４１、５１の燃料供給口に燃料を供給し、一のバーナー４１の助燃性ガス供給口から直列に他のバーナー４１、５１、３１の助燃性ガス供給口に順次助燃性ガスを供給し、前段のバーナー４１、２１、５１が設けられた反応器４２、２２またはボイラー５を加熱した後の排ガスを後段のバーナー２１、５１、３１の助燃性ガスとして用い、各反応器２２〜４２内及びボイラー５内の温度が、予め定められた温度に達するまでの起動期間中、前記各バーナー２１、３１、４１、５１にて燃料を燃焼させる。【選択図】図４
2009114042.tif 000002
【特許請求の範囲】
【請求項１】
炭化水素を含む水素原料流体を、ボイラーより供給された水蒸気を用いた水蒸気改質反応により改質して水素を含む改質ガスを得るための改質反応器と、当該改質ガス中に含まれる一酸化炭素を、シフト反応により低減するためのシフト反応器と、このシフト反応器を通過した改質ガス中に残存している一酸化炭素を、選択酸化反応により更に低減するための選択酸化反応器と、を備えた水素製造装置の起動方法において、
前記各反応器及びボイラーを加熱するために、これらの各反応器及びボイラーに夫々設けられたバーナーの燃料供給口に燃料を供給する工程と、
前記各反応器及びボイラーに夫々設けられたバーナーのうち一のバーナーの助燃性ガス供給口から直列に他のバーナーの助燃性ガス供給口に順次助燃性ガスを供給し、前段のバーナーが設けられた反応器またはボイラーを加熱した後の排ガスを後段のバーナーの助燃性ガスとして用いる工程と、
前記各反応器内及びボイラー内の温度が、予め定められた温度に達するまでの起動期間中は、前記各バーナーにて燃料を燃焼させる工程と、を含むことを特徴とする水素製造装置の起動方法。
【請求項２】
前記一のバーナーは、選択酸化反応器を加熱するためのバーナーであり、前記助燃性ガスは、選択酸化反応器、改質反応器、ボイラー、シフト反応器の順に、これらの助燃性ガス供給口に直列に供給されることを特徴とする請求項１に記載の水素製造装置の起動方法。
【請求項３】
前段のバーナーが設けられた反応器またはボイラーを加熱した後の排ガスの温度上昇に伴って、当該排ガスが助燃性ガスとして供給される後段のバーナーへの燃料の供給量を低減することを特徴とする請求項１または２に記載の水素製造装置の起動方法。
【請求項４】
前記燃料は、水素原料流体であることを特徴とする請求項１ないし３のいずれか一つに記載の水素製造装置の起動方法。
【請求項５】
前記水素原料流体は、ジメチルエーテルまたはメタノールであることを特徴とする請求項１ないし４のいずれか一つに記載の水素製造装置の起動方法。
【請求項６】
前記助燃性ガスは空気であることを特徴とする請求項１ないし５のいずれか一つに記載の水素製造装置の起動方法。
【請求項７】
前段のバーナーが設けられた反応器またはボイラーを加熱した後の排ガスが助燃性ガスとして供給される後段のバーナーは、当該排ガス中に含まれている酸素の濃度が１０体積％以上、２０体積％以下の範囲で燃料を燃焼可能であることを特徴とする請求項１ないし６のいずれか一つに記載の水素製造装置の起動方法。
【請求項８】
炭化水素を含む水素原料流体を改質して、水素を含む改質ガスを得るための改質反応器と、当該改質ガス中に含まれる一酸化炭素を、シフト反応により低減するためのシフト反応器と、このシフト反応器を通過した改質ガス中に残存している一酸化炭素を、選択酸化反応により更に低減するための選択酸化反応器と、を備えた水素製造装置において、
前記各反応器及びボイラーを夫々加熱するために設けられ、燃料供給口及び助燃性ガス供給口を備えたバーナーと、
前記各バーナーの燃料供給口に燃料を供給するための燃料供給部と、
前記各バーナーのうち、一のバーナーの助燃性ガス供給口に助燃性ガスを供給するための助燃性ガス供給部と、
前記一のバーナーの助燃性ガス供給口から直列に他のバーナーの助燃性ガス供給口に順次助燃性ガスを供給し、前段のバーナーが設けられた反応器またはボイラーを加熱した後の排ガスを後段のバーナーの助燃性ガスとして用いるように、各反応器またはボイラーからの排ガスの出口と、後段のバーナーの助燃性ガス供給口とを接続する排ガス流路と、
前記各反応器内の温度が予め定められた温度に達するまでの起動期間中は、前記各バーナーに設けられた燃料供給口に燃料を供給すると共に、前記一のバーナーに設けられた助燃性ガス供給口に助燃性ガスを供給することにより、前記各バーナーにて燃料を燃焼させるように、前記燃料供給部及び助燃性ガス供給部を制御する制御部と、を備えたことを特徴とする水素製造装置。
【請求項９】
前記一のバーナーは、選択酸化反応器を加熱するためのバーナーであり、前記排ガス流路は、選択酸化反応器、改質反応器、ボイラー、シフト反応器の順に、前記助燃性ガスが助燃性ガス供給口に直列に供給されるように、前段の各反応器またはボイラーからの排ガスの出口と、後段のバーナーの助燃性ガス供給口とを接続したことを特徴とする請求項８に記載の水素製造装置。
【請求項１０】
前記制御部は、前段のバーナーが設けられた反応器またはボイラーを加熱した後の排ガスの温度上昇に伴って、当該排ガスが助燃性ガスとして供給される後段のバーナーへの燃料の供給量を低減するように前記燃料供給部を制御することを特徴とする請求項８または９に記載の水素製造装置。
【請求項１１】
前段のバーナーが設けられた反応器またはボイラーを加熱した後の排ガスが助燃性ガスとして供給される後段のバーナーは、当該排ガス中に含まれている酸素の濃度が１０体積％以上、２０体積％以下の範囲で燃料を燃焼可能であることを特徴とする請求項８ないし１０のいずれか一つに記載の水素製造装置。
【発明の詳細な説明】
【技術分野】
【０００１】
本発明は、炭化水素を含む水素原料流体より水素を製造する技術に関し、特に水素の製造を開始するまでの起動期間を短縮する技術に係る。
【背景技術】
【０００２】
図９は、例えば自動車に搭載されたり、水素ステーション等に設置されたりする等により、燃料電池等に水素を供給するための水素製造装置１００の構成例を示している。当該水素製造装置１００は、水蒸気を用いてジメチルエーテル（以下、ＤＭＥという）を改質し、水素を主成分とする改質ガスを生成するための改質反応器２２と、この改質ガスから燃料電池の触媒毒となる一酸化炭素を除去するためのシフト反応器３２、選択酸化反応器４２とから構成されており、更に改質反応器２２に水蒸気を供給するためのボイラー５を備えている。
【０００３】
図９に示した水素製造装置１００においては、原料供給部６にて気化したＤＭＥをボイラー５からの水蒸気と混合した状態で改質反応器２２に供給し、触媒の存在下で例えば約３００℃〜４５０℃程度に加熱して、以下の（１）式に示す水蒸気改質反応を進行させ水素や二酸化炭素を含む改質ガスを得る。また、改質反応器２２では、（２）式に示す逆シフト反応も進行し一酸化炭素も生成する。  
【化１】
2009114042.tif 000003
【０００４】
既述のように、この改質ガスには燃料電池の触媒毒となる一酸化炭素が例えば約２体積％〜５体積％程度含まれているため、触媒の充填されたシフト反応器３２にこの改質ガスを供給し、既述の（２）式に示した反応を右辺側から左辺側へと進行させることにより、改質ガス中の一酸化炭素濃度を例えば１体積％程度にまで低減している。このようにして一酸化炭素を低減した改質ガスを触媒の充填された選択酸化反応器４２内に供給し、以下の（３）、（４）式に示す選択酸化反応を進行させて、一酸化炭素濃度が例えば１０体積ｐｐｍ以下にまで低減された改質ガス（水素）を得ている。  
【化２】
2009114042.tif 000004
【０００５】
既述のように改質反応器２２内の反応は例えば約３００℃〜４５０℃程度の高温雰囲気で進行し、また改質反応器２２内で進む反応は総括的には吸熱反応であるため、改質反応器２２には内部の反応雰囲気を加熱するためのバーナー２１が設けられている。このバーナー２１は、例えば空気を助燃性ガスとして、水素原料流体であるＤＭＥの一部を燃焼させ、その排ガスを改質反応器２２と接触させて当該改質反応器２２を加熱する役割を果たしている。また当該バーナー２１は、改質反応器２２を加熱した後の排ガスをボイラー５に供給することにより、（１）式に示した反応を進行させるのに必要な水蒸気を発生させる役割も果たしている。これに対して図９に示した水素製造装置１００において、シフト反応器３２や選択酸化反応器は、夫々の反応器３２、４２の内部を加熱する独自の加熱機構を備えていない。
【０００６】
以上のように構成された水素製造装置１００を起動するにあたっては、改質反応器２２やボイラー５だけでなく、冷機状態となっているシフト反応器３２や選択酸化反応器４２の容器本体や触媒の温度を、各反応が進行する温度、シフト反応器３２の温度で例えば約２００℃〜３００℃程度、選択酸化反応器４２の出口温度で例えば約１００℃〜１６０℃程度まで昇温する操作が必要となる。そこで図９に示した水素製造装置１００においては、水蒸気発生に利用したバーナー２１からの排ガスを、更にシフト反応器３２、選択酸化反応器４２と接触させることにより、これらの機器を昇温するように構成されている。
【０００７】
しかしながら上述した従来タイプの水素製造装置１００では、バーナー２１の排ガスが持つ熱エネルギーを、改質反応器２２→ボイラー５→シフト反応器３２→選択酸化反応器４２と順次利用して暖気操作を行っているため、シフト反応器３２や選択酸化反応器４２に供給される排ガスの温度が低く、昇温操作を終了するまでの時間が例えば３０分以上と長くなってしまう。特に自動車等に搭載される水素製造装置においては、起動期間の短縮が大きな課題となっている。
【０００８】
ここで特許文献１には、シフト反応器や選択酸化反応器に電気ヒーターを設け、停止期間中もこれらの反応器を加熱する技術が記載されているが、消費電力が大きくなってしまいエネルギー効率が悪い。また特許文献２には、改質反応器用バーナーにて燃焼させた燃料の未燃分を触媒燃焼させる触媒燃焼部を設け、この触媒燃焼部をシフト反応器や選択酸化反応器の近傍に配置することにより、触媒燃焼部をシフト反応器の昇温速度を早める技術が記載されているが、改質反応器用バーナー、触媒燃焼部夫々の熱量をコントロールするために、燃料の供給量制御や燃料に対する助燃性ガス（空気）の供給比制御を行う構成となっており、制御系が複雑となって装置コストが高騰する。
【０００９】
この他、特許文献３にはバーナーからの排ガスを水素原料流体の供給ラインに導入して、水素原料流体の温度を上昇させる内部加熱方式の改質反応器用バーナーを備えた水素製造装置において、改質反応器にて発生した改質ガスの一部を燃焼させる、内部加熱方式のバーナーをシフト反応器の手前に設けて、改質ガスを昇温する技術が記載されている。しかしながらシフト反応器の手前に設けられたバーナーは、改質反応器より改質ガスが発生した後でなければシフト反応器の加熱を開始できないので、起動期間を根本的に短縮することはできない。
【００１０】
【特許文献１】特開平９−２４５８２５号公報：第００１０段落〜第００１１段落、図１
【特許文献２】特開２００４−１６８６３０号公報：第００３２段落、第００４４段落、第００４７段落〜第００５５段落、図１、図３
【特許文献３】特開２００５−１７０７４２号公報：第００１２段落、第００１４段落、第００１８段落〜第００２２段落、図１、図２
【発明の開示】
【発明が解決しようとする課題】
【００１１】
本発明は、このような事情の下になされたものであり、その目的は、起動期間が短く、装置構成や制御システムが簡素な水素製造装置の起動方法及び水素製造装置を提供することにある。
【課題を解決するための手段】
【００１２】
本発明に係る水素製造装置の起動方法は、炭化水素を含む水素原料流体を、ボイラーより供給された水蒸気を用いた水蒸気改質反応により改質して水素を含む改質ガスを得るための改質反応器と、当該改質ガス中に含まれる一酸化炭素を、シフト反応により低減するためのシフト反応器と、このシフト反応器を通過した改質ガス中に残存している一酸化炭素を、選択酸化反応により更に低減するための選択酸化反応器と、を備えた水素製造装置の起動方法において、
前記各反応器及びボイラーを加熱するために、これらの各反応器及びボイラーに夫々設けられたバーナーの燃料供給口に燃料を供給する工程と、
前記各反応器及びボイラーに夫々設けられたバーナーのうち一のバーナーの助燃性ガス供給口から直列に他のバーナーの助燃性ガス供給口に順次助燃性ガスを供給し、前段のバーナーが設けられた反応器またはボイラーを加熱した後の排ガスを後段のバーナーの助燃性ガスとして用いる工程と、
前記各反応器内及びボイラー内の温度が、予め定められた温度に達するまでの起動期間中は、前記各バーナーにて燃料を燃焼させる工程と、を含むことを特徴とする。
【００１３】
当該起動方法においては、前記一のバーナーは、選択酸化反応器を加熱するためのバーナーであり、前記助燃性ガスは、選択酸化反応器、改質反応器、ボイラー、シフト反応器の順に、これらの助燃性ガス供給口に直列に供給されることが好適である。また、前段のバーナーが設けられた反応器またはボイラーを加熱した後の排ガスの温度上昇に伴って、当該排ガスが助燃性ガスとして供給される後段のバーナーへの燃料の供給量を低減することが好ましい。前記燃料には、例えばジメチルエーテルやメタノール等の水素原料流体を用いるとよく、前記助燃性ガスには空気が好適である。
【００１４】
更に、前段のバーナーが設けられた反応器またはボイラーを加熱した後の排ガスが助燃性ガスとして供給される後段のバーナーは、当該排ガス中に含まれている酸素の濃度が１０体積％以上、２０体積％以下の範囲で燃料を燃焼可能であることが好ましい。
【００１５】
また他の発明に係る水素製造装置は、炭化水素を含む水素原料流体を改質して、水素を含む改質ガスを得るための改質反応器と、当該改質ガス中に含まれる一酸化炭素を、シフト反応により低減するためのシフト反応器と、このシフト反応器を通過した改質ガス中に残存している一酸化炭素を、選択酸化反応により更に低減するための選択酸化反応器と、を備えた水素製造装置において、
前記各反応器及びボイラーを夫々加熱するために設けられ、燃料供給口及び助燃性ガス供給口を備えたバーナーと、
前記各バーナーの燃料供給口に燃料を供給するための燃料供給部と、
前記各バーナーのうち、一のバーナーの助燃性ガス供給口に助燃性ガスを供給するための助燃性ガス供給部と、
前記一のバーナーの助燃性ガス供給口から直列に他のバーナーの助燃性ガス供給口に順次助燃性ガスを供給し、前段のバーナーが設けられた反応器またはボイラーを加熱した後の排ガスを後段のバーナーの助燃性ガスとして用いるように、各反応器またはボイラーを加熱した後の排ガスの出口と、後段のバーナーの助燃性ガス供給口とを接続する排ガス流路と、
前記各反応器内の温度が予め定められた温度に達するまでの起動期間中は、前記各バーナーに設けられた燃料供給口に燃料を供給すると共に、前記一のバーナーに設けられた助燃性ガス供給口に助燃性ガスを供給することにより、前記各バーナーにて燃料を燃焼させるように、前記燃料供給部及び助燃性ガス供給部を制御する制御部と、を備えたことを特徴とする。
【００１６】
当該水素製造装置においては、前記一のバーナーは、選択酸化反応器を加熱するためのバーナーであり、前記排ガス流路は、選択酸化反応器、改質反応器、ボイラー、シフト反応器の順に、前記助燃性ガスが助燃性ガス供給口に直列に供給されるように、前段の各反応器またはボイラーからの排ガスの出口と、後段のバーナーの助燃性ガス供給口とを接続することが好ましい。また、前記制御部は、前段のバーナーが設けられた反応器またはボイラーを加熱した後の排ガスの温度上昇に伴って、当該排ガスが助燃性ガスとして供給される後段のバーナーへの燃料の供給量を低減するように前記燃料供給部を制御するとよい。更に、前段のバーナーが設けられた反応器またはボイラーを加熱した後の排ガスが助燃性ガスとして供給される後段のバーナーは、当該排ガス中に含まれている酸素の濃度が１０体積％以上、１８体積％以下の範囲で燃料を燃焼可能であることが好ましい。
【発明の効果】
【００１７】
本発明に係る水素製造装置の起動方法においては、通常運転時に利用するバーナーを備えている改質反応器に加えて、シフト反応器、選択酸化反応器やボイラーにも起動用のバーナーを備えているので、当該装置の起動時には、これらのバーナーを利用して各反応器を短時間で昇温し、水素の製造を開始するまでの起動期間を短縮できる。また当該起動方法においては、前段のバーナーで燃焼した後の排ガスを後段のバーナーの助燃性ガスとして再度利用するように、各バーナーの助燃性ガス供給口に助燃性ガスを順次、直列に供給している。このため、夫々のバーナーにて燃料供給量、助燃性ガス供給量を制御する場合に比べて制御対象が少なく、装置構成及び制御内容を簡素にすることが可能となり、装置コストの低減及び装置の小型化に貢献できる。
【００１８】
更には、各起動用バーナー夫々に助燃性ガスを独立に供給する場合と比較して助燃性ガス中の酸素をより有効に利用しているので、例えば空気を供給するコンプレッサー等の助燃性ガスを供給する機器を小型化することが可能となり、装置コストの低減につながる。また、高温の排ガスを助燃性ガスとして利用することにより、温度の低い助燃性ガスを利用する場合に比べて燃料ガスの消費量が少なくてすむ。このため、例えば改質反応器のみに備わっているバーナーを利用する従来型の水素製造装置の起動方法と比較しても、バーナー数が増えることによる燃料消費量の増加が抑えられ、従来の起動方法とほとんど変わらない燃料消費量で短時間に装置を起動することが可能となる。
【発明を実施するための最良の形態】
【００１９】
以下、本実施の形態に係る水素製造装置の起動方法が適用される水素製造装置１の構成について図１〜図６を参照しながら説明する。図１に示した本実施の形態に係る水素製造装置１は、改質反応部２、シフト反応部３、選択酸化反応部４及びボイラー５を備えており、水素原料流体であるガス状のＤＭＥから水素を主成分とする改質ガスを生成し、更に当該改質ガスに含まれる一酸化炭素の除去を行うことができる。
【００２０】
改質反応部２は、改質反応器２２を加熱するためのバーナー２１と、排熱回収用の熱交換器２０とを夫々改質反応器２２の前後に接続した構成となっている。バーナー２１は、水素の原料であるＤＭＥを一部転用した燃料ガスと助燃性ガスとを混合して燃料ガスを燃焼させ、水素製造装置１の起動時には、冷機状態となっている改質反応器２２を所定の温度まで昇温し、運転中にはＤＭＥの改質反応を進行させるのに必要な反応熱を供給する役割を果たす。ここで、後述するように本実施の形態に係るバーナー２１は、水素製造装置１の起動時においては、選択酸化反応部４に設けられたバーナー４１の排ガスを助燃性ガスとして利用することができるように、酸素濃度の低い助燃性ガスによっても燃料ガスを燃焼することができる特別な構成を備えているが、その詳細な構成については後述する。
【００２１】
改質反応器２２の内部は、図２に概略構造を示すように例えばステンレススチールからなる扁平な直方形の筐体２２１内を、板材にて高さ方向に仕切ることにより、例えば２層の反応空間２３と、３層の排ガス通流空間２４とからなる合計５層のプレート状の空間２３、２４を備え、これらの空間２３、２４が排ガス通流空間２４を最上段として交互に積層された構造となっている。なお、改質反応器２２内に積層される反応空間２３や排ガス通流空間２４の数は、上述の５層構造に限定されるものではなく、ガスの通流量等に応じて増減してもよいことは勿論である。以下、図３を参照しながら改質反応器２２の詳細な構造について説明する。
【００２２】
反応空間２３は、排ガス通流空間２４と比較して高さ寸法が大きく構成され、各反応空間２３は上下方向から排ガス通流空間２４によって挟まれた状態で改質反応器２２内に配置されている。図３において、手前及び奥側を夫々前方側及び後方側とすると、改質反応器２２の側壁部の前方側には、上下の反応空間２３毎にＤＭＥ及び水蒸気（以下、これらをまとめて反応ガスという）を導入するための矩形状の開口部からなる反応ガス供給口２３０ａが設けられ、また改質反応器２２の側壁部の後方側には反応空間２３から改質ガスを抜き出すための改質ガス抜出口２３０ｂが夫々の反応空間２３に設けられている。これら反応ガス供給口２３０ａ及び改質ガス抜出口２３０ｂから見た改質反応器２２の内部には、筐体２２１内に供給された反応ガスや、筐体２２１から抜き出される改質ガスを通流させるためのガス通流空間２３３が形成されている。一方、各反応空間２３の先端面及び後端面は塞がれており、排ガス通流空間２４に供給される後述のバーナー２１からの排ガスが反応空間２３内に流れ込まないようになっている。
【００２３】
各反応空間２３を形成する天井面と床面との間には、例えばステンレススチールにより構成された波板状のコルゲートフィン２３２が設置されている。コルゲートフィン２３２は、天井面と床面との間に、手前側から奥側へ向かって、細長いほぼ三角柱状（厳密にはコルゲートフィン２３２の曲折部分は曲面になっている）の流路を多数形成し、この流路内には、例えばアルミナ、珪酸アルミニウム、珪酸カルシウム、珪酸マグネシウム、ゼオライト、酸化カルシウム、酸化マグネシウム、酸化チタン、酸化ジルコニウム等から選択された担体上に、銅、亜鉛、ニッケル、クロム、モリブデン等から選択された卑金属系の化合物、または白金、パラジウム、ルテニウム、ロジウム等から選択された貴金属系の化合物を担持した粒状の触媒が充填されている。なお、上述のコルゲートフィン２３２によって形成される流路の形状は、既述の三角柱状に限定されるものではなく、反応空間２３内の流路を複雑にして熱伝達性能を向上させるものであれば例えばコの字型等、どのような流路形状であってもよい。
【００２４】
一方、上述の各反応空間２３を上下から挟む排ガス通流空間２４は、反応空間２３と比較して厚みが小さく形成された薄いプレート状の空間となっており、各排ガス通流空間２４の先端面及び後端面が開口している。この先端側の当該開口部はバーナー２１からの排ガスが流入する排ガス流入部２４０を構成し、図示しない後端側の開口部は、排ガス通流空間２４内を通過した排ガスが流出する排ガス流出部（排ガス出口）を構成している。各排ガス通流空間２４を構成する天井面と床面との間には、既述の各反応空間２３と同様に、波板状のコルゲートフィン２４１が設置されており、各排ガス通流空間２４の先端部から後端部へ向かって、例えば細長い三角柱状の流路が多数形成されている。なお、上述のコルゲートフィン２４１によって形成される流路の形状が既述の三角柱状に限定されるものでないことは、反応空間２３２の場合と同様である。
【００２５】
以上に説明した構成を備えていることにより、反応ガス供給口２３０ａから供給された反応ガスは、各反応空間２３内にて触媒２３１と接触する一方で、バーナー２１から供給された高温の排ガスが排ガス通流空間２４内を通流することにより反応空間２３へ反応熱を供給し、これらの作用によりＤＭＥを改質して水素を主成分とする改質ガスが生成されるようになっている。
【００２６】
このように反応空間２３を上下から挟むように設けられた排ガス通流空間２４は、改質反応器２２内を加熱する役割を果たしている。そして、反応空間２３、排ガス通流空間２４の夫々にコルゲートフィン２３２、２４１を設置して伝熱面積を大きくすることにより、排ガス通流空間２４内を流れる排ガスから反応空間２３内を流れるガスへの熱伝達効率を向上させている。
【００２７】
またこの改質反応器２２の後段に接続された熱交換器２０は、例えば周知のシェルアンドチューブ式の熱交換器として構成されており、シェル側に排ガス通流空間２４を通過した排ガスを流し、チューブ側にバーナー２１へと供給される前の空気を流して空気を予熱することにより、バーナー２１での燃料ガスの消費量を低減する役割を果たしている。なお、熱交換器２１の形状はシェルアンドチューブ式に限定されるものではなく、例えば改質反応器２２の様なプレート式であってもよい。
【００２８】
シフト反応部３、選択酸化反応部４は、改質反応部２にて生成した改質ガスに含まれる一酸化炭素を低減する反応を進行させる反応器３２、４２を備えているが、これら反応器３２、４２の構造は、図３に示した改質反応部２の反応器２２の構造とほぼ同様に、反応空間とこの反応空間を加熱する排ガス通流空間とを一体化した構造であるので、改めての図示は省略する。シフト反応部３の反応器３２内に形成された反応空間には、例えばアルミナ、珪酸アルミニウム、酸化チタン、酸化ジルコニウム等から選択された担体上に銅、亜鉛、ニッケル、コバルト、鉄、鉛、スズ、マンガン、クロム等から選択された卑金属系の化合物、または白金、銀、レニウム等から選択された貴金属系の化合物を担持した粒状の触媒が充填されており、また選択酸化反応器４２の反応空間内には、例えばアルミナ、シリカ、ゼオライト、炭素等から選択される担体上に、白金、ルテニウム、ロジウム等から選択される貴金属系化合物を担持した粒状の触媒が充填されている。
【００２９】
ボイラー５は、ボイラー給水部５０から給水されたボイラー給水（以下、ＢＦＷ；Boiler Feed Waterという）を例えば約１００℃〜３００℃程度の温度条件下で蒸発させて水蒸気を生成し、改質反応部２へ供給するための例えばシェルアンドチューブ式の熱交換型ボイラーとして構成されている。
【００３０】
また水素製造装置１は、原料供給部６からのＤＭＥの供給量やボイラー給水部５０からのＢＦＷの供給量等を制御する制御部９を備えている。制御部９は例えば図示しないＣＰＵとプログラムとを備えたコンピュータからなり、このプログラムには当該水素製造装置１によって水素を製造するのに必要な動作の制御についてのステップ（命令）群が組まれている。このプログラムは、例えばハードディスク、コンパクトディスク、マグネットオプティカルディスク、メモリカード等の記憶媒体に格納され、そこからコンピュータにインストールされる。ここで当該制御部９は、更にバーナー２１等の各種バーナーや後述するエアコンプレッサー８、制御部９と接続されており、これらのバーナーの起動や停止、燃料ガスの供給量等の制御等を行う機能を備えているが、これらの機能の詳細な作用については後述する。
【００３１】
このように本実施の形態に係る水素製造装置１が改質反応部２、シフト反応部３、選択酸化反応部４を備えていることにより、通常運転時、原料供給部６にて気化されたＤＭＥは、ボイラー５からの水蒸気と混合されて図３に示した改質反応器２２の反応ガス供給口２３０ａに供給され、改質反応器２２内で例えば約３００℃〜４５０℃程度の温度で反応ガスが触媒と接触することにより、既述の（１）式、（２）式に示した各反応によって改質ガスとなってシフト反応部３のシフト反応器３２へと送られる。シフト反応器３２では、例えば約２００℃〜３００℃程度の温度で改質ガスが触媒と接触することにより、既述の（２）式の右辺から左辺へと反応が進行して、改質反応部２の出口で約２体積％〜５体積％程度含まれている改質ガス中の一酸化炭素濃度が例えば１体積％程度となった状態で選択酸化反応部４の反応器４２に送られる。
【００３２】
そして選択酸化反応器４２では、例えば約１００℃〜１６０℃程度の温度で改質ガスが触媒と接触することにより、既述の（３）式、（４）式に示した選択酸化反応によって改質ガス中の一酸化炭素濃度が例えば１０体積ｐｐｍ以下にまで低減され、製品の水素ガスとして燃料電池等へ送られる。なお図１に示した熱交換器１２は、選択酸化反応部４を出た製品の水素ガスより、ボイラー５へ給水されるＢＦＷへの熱回収を行う役割を果たしている。
【００３３】
通常運転において上述のように動作する水素製造装置１は、背景技術にて説明した従来型の水素製造装置１００と比較して、運転開始直後の冷機状態から通常運転に至るまでに必要な起動期間を短縮するための構成を備えている。以下、その内容について詳細に説明する。
【００３４】
水素製造装置１の起動期間を短縮することを目的として、本実施の形態に係るシフト反応部３、選択酸化反応部４及びボイラー５は、冷機状態となっている反応器３２、４２やこの内部に充填されている触媒、またボイラー５内のＢＦＷを加熱するための起動用のバーナー３１、４１、５１を夫々備えている。シフト反応部３及び選択酸化反応部４に設けられたバーナー３１、４１は、燃焼後の排ガスが、各反応部３、４の反応器３２、４２内に形成された排ガス通流空間を通流するように、これら反応器３２、４２と接続されている。一方、ボイラー５に設けられたバーナー５１は、例えば通常運転時において改質反応部２の排ガス通流空間２４からの排ガスが流れる流路の途中に設置されており、シェル側に当該バーナー５１の排ガスを流すことにより、チューブ側のＢＦＷを昇温できるようになっている。
【００３５】
また本実施の形態に係る水素製造装置１は、起動時の空気消費量の低減や制御機構を簡素化することを目的として、選択酸化反応部４に設けられたバーナー４１にのみ空気を助燃性ガスとして供給し、残る改質反応部２、シフト反応部３、ボイラー５のバーナー２１、３１、５１には、選択酸化反応部４のバーナー４１を通過した排ガスを助燃性ガスとして供給するように構成されている。更に当該助燃性ガス供給システムは、４つのバーナー２１、３１、４１、５１を使用する起動時と、改質反応部２のバーナー２１のみを使用する通常運転時とでは、助燃性ガスの供給経路を切り替えることができるようになっている。以下、図１、図４〜図６を参照しながら各バーナー２１、３１、４１、５１に助燃性ガスを供給するシステムや燃料ガスの供給システムの詳細について説明する。
【００３６】
先ず、通常運転時における助燃性ガスの供給システムについて説明すると、図１に示すように水素製造装置１には、助燃性ガス供給部をなす例えば小型のエアコンプレッサー８が設けられており、このエアコンプレッサー８はガス流路８０１、８０４を介して改質反応部２のバーナー２１に空気を助燃性ガスとして供給するようになっている。改質反応部２出口部の熱交換器２０（排気口）は、ガス流路８０５を介してボイラー５と接続されており、既述のように、改質反応部２のバーナー２１にて燃料ガスを燃焼させて得られた排ガスを水蒸気発生用の熱源として利用している。ボイラー５の排気口はガス流路８０６、８０９に接続されていて、前記排気口からの排ガスは熱交換器１１にて、改質反応部２に送られる空気熱交換して排熱が回収された後、外部へと排出されるようになっている。
【００３７】
このような通常運転時の助燃性ガス供給システムに対し、水素製造装置１の起動時においては、既述のようにシフト反応部３、選択酸化反応部４、ボイラー５が夫々起動用に備えているバーナー３１、４１、５１にも助燃性ガスを供給する必要がある。そこで、本実施の形態に係る水素製造装置１は、既述の通常運転時における改質反応部２のバーナー２１への助燃性ガス供給システムを切り替えて、起動時用の助燃性ガス供給システムを構成できるようになっている。
【００３８】
起動時用の助燃性ガス供給システムとして、エアコンプレッサー８と改質反応部２のバーナー２１とを接続するガス流路８０１、８０４の間には、切替弁８００ａが介設されており、エアコンプレッサー８からの空気をガス流路８０１、８０２を介して選択酸化反応部４のバーナー４１（実施の形態に係る水素製造装置１の起動方法の「一のバーナー」に相当する）へと供給できる。このバーナー４１は反応器４２と接続されていて、燃焼ガスを反応器４２の昇温に利用した後、この燃焼ガスを反応器４２の排気口に接続されたガス流路８０３より、ガス流路８０４へと送り出すようになっている。
【００３９】
この結果、起動時において改質反応部２のバーナー２１及び、当該改質反応部２からの排ガス流路の途中に設置されたボイラー５のバーナー５１は、選択酸化反応部４の反応器４２の加熱に利用した後の排ガスを助燃性ガスとして順次、直列に供給されることになる。更にボイラー５出口のガス流路８０６、８０９の間には、切替弁８００ｂが介設されていて、ボイラー５からの排ガスをシフト反応部３のバーナー３１へと直列に供給し、助燃性ガスとして更に利用した後、外部へと排気する構成となっている。これら改質反応部２のバーナー２１、ボイラー５のバーナー５１、シフト反応部３のバーナー３１は、実施の形態に係る水素製造装置１の起動方法の「他のバーナー」に相当する。
【００４０】
図４（ａ）に起動時における助燃性ガスの供給システムの構成をまとめると、選択酸化反応部４のバーナー４１にはエアコンプレッサー８からの空気が供給される一方で、改質反応部２、ボイラー５、シフト反応部３の各バーナー２１、５１、３１では、前段のバーナー４１、２１、５１にて燃料ガスを燃焼した後の排ガスを後段の各バーナー２１、５１、３１の助燃性ガスとして順次利用するように、各反応部４、２及びボイラー５の排気口と各バーナー２１、５１、３１とがガス流路８０３〜８０７（排ガス流路）によって直列に接続されている。
【００４１】
エアコンプレッサー８の出口には流量調節バルブ等により構成される流量制御部８１が設けられ、既述の制御部９からの制御により、選択酸化反応部４のバーナー４１への空気の供給量を調節することによって、残るバーナー２１、５１、３１への排ガスの供給量も調節することができる。また、燃料ガスの供給システムとして、水素の原料を一部転用し、各バーナー４１、２１、５１、３１へ燃料ガスを供給するための燃料供給部７が設けられており、各バーナー４１、２１、５１、３１に独立して燃料ガスを供給することができる。更にまた、この燃料供給部７から各バーナー４１、２１、５１、３１へ燃料ガスを供給する燃料ガス供給路７０１にも、流量調節バルブ等により構成される流量制御部７１が設けられており、制御部９からの制御によって、各バーナー４１、２１、５１、３１への燃料ガス供給量を調節できる。
【００４２】
このように当該助燃性ガス供給システムは、選択酸化反応部４のバーナー４１を最上流に位置させ、このバーナー４１にのみ空気を供給する構成となっている。選択酸化反応部４を最上流に位置させている理由として、起動時に選択酸化反応器を昇温させる温度が、例えば約１００℃〜１６０℃程度であり、他の反応器２２、３２やボイラー５（改質反応器２２は例えば約３００℃〜４５０℃程度、シフト反応器３２は例えば約２００〜３００℃程度、ボイラー５は例えば約１００〜３００℃程度）の温度と比較して選択酸化反応器４２を昇温させる温度が低く、バーナー４１での酸素消費量が少ない。そこで、酸素消費量の少ない選択酸化反応部４のバーナー４１を先頭にすることにより、比較的多くの酸素が残存する排ガスを後段の改質反応部２へ供給することが可能となる。このように助燃性ガスの供給順序は、助燃性ガス中の酸素消費バランスや、バーナー２１、３１、４１、５１による反応器２、３、４、ボイラー５の熱バランス等を考慮して決定されている。
【００４３】
改質反応部２、ボイラー５、シフト反応部３の各バーナー２１、５１、３１は、上流側のバーナー４１、２１、５１からの排ガスを助燃性ガスとして利用しているので、助燃性ガス中の酸素濃度は、改質反応部２のバーナー２１では例えば１９〜２０体積％程度、ボイラー５のバーナー５１では例えば１５〜１６体積％程度、またシフト反応部３のバーナー３１では例えば１２〜１３体積％程度の低酸素状態となっている。そこでこれらのバーナー２１、５１、３１には、助燃性ガスが低酸素状態であっても安定して燃料を燃焼できる低酸素バーナーを採用している。以下、当該バーナー２１、５１、３１の構成について説明する。
【００４４】
ここで改質反応部２、ボイラー５、シフト反応部３に設置されているバーナー２１、５１、３１はほぼ同様の構成を備えているので、以下、改質反応部２のバーナー２１を例に挙げて説明を行う。図５はバーナー２１を側面から見た縦断面図であり、図６は、図５に一点鎖線で示した（ａ）の位置においてバーナー２１をカットした状態を排ガスの出口側（図５に向かって左手側）から見たバーナー２１の縦断面図である。また、図５においては向かって左側を手前側として説明を行う。
【００４５】
バーナー２１は、図５に向かって右側の基端部が縮管された内部円筒２０２と、この内部円筒２０２を同心円状に覆う外部円筒２０１とから構成されており、外部円筒２０１、内部円筒２０２の基端面は壁部２０１ａによって塞がれている。一方、バーナー２１の先端面においては、外部円筒２０１と外部円筒２０１との間の環状の領域のみが壁部２０１ｂによって塞がれていて、内部円筒２０２の先端面は開放されている。そして、この開放された先端面は、図３に示した改質反応器２２の排ガス流入部２４０が設けられた側面へと、接続部２０８によって接続されている。
【００４６】
バーナー２１の基端面をなす壁部２０１ａには、燃料ガスであるＤＭＥを内部円筒２０２内に供給するための燃料ガス供給ノズル２０４が挿入されている。燃料ガス供給ノズル２０４は、円管状のノズルの先端に円錐状の突起を取り付けた構造となっていて、これら円管と円錐状突起との接合部には、多数の燃料ガス供給孔２０５（燃料供給口）が設けられている。これらの燃料ガス供給孔２０５は、例えば燃料ガス供給ノズル２０４の先端側から見て、燃料ガスが反時計回りに旋回しながら内部円筒２０２内に供給されるように、燃料ガス供給孔２０５の形成されている方向が調節されている。例えば図５の燃料ガス供給ノズル２０４の先端部に示した破線の矢印は、図面に向かって奥の方向に燃料ガスが噴射されていることを示し、実線の矢印は燃料ガスの噴射方向が図面に向かって手前の方向であることを示している。なお、既述の円錐状突起の先端には、失火を防止するための円板状の保炎板２０６が固定されており、また例えば放電によりバーナー２１の点火をするための図示しない点火機が設けられている。
【００４７】
一方、外部円筒２０１の基端側の側壁面には助燃性ガス供給管２０３が接続されていて、この助燃性ガス供給管２０３は外部円筒２０１と内部円筒２０２との間の環状空間２０９内に、選択酸化反応部４からの排ガス（助燃性ガス）を導入する助燃性ガス供給口としての役割を果たす。また内部円筒２０２には、基端側の縮管部２０２ａに上述の環状空間２０９から内部円筒２０２内に助燃性ガスを供給するためのガス孔２０７が設けられている。
【００４８】
このガス孔２０７は、燃料ガス供給孔２０５からの燃料ガスに助燃性ガスを供給して、これを燃焼させる役割を果たす。ここで図６に示したようにガス孔２０７は、反時計回りの旋回流を形成させながら助燃性ガスを内部円筒２０２内へと供給できるように、向きを調節された状態で穿設されている。そして縮管部２０２ａの側壁面には、このような状態で穿設された多数のガス孔２０７が円環状に並べられている。各ガス供給孔２０７、環状空間２０９内と、内部円筒２０２内との圧力差等によって適切な流量の助燃性ガスを内部円筒２０２へと供給できるように、孔径や孔の数が調整されている。このように環状空間２０９を利用し、各ガス供給孔２０７の大きさや数を変えて内部円筒２０２内に供給する助燃性ガスの量を調節することにより、各ガス供給孔２０７に個別の助燃性ガス供給ラインや供給量の制御機構を設ける場合に比べて、装置構成を簡素化することができる。
【００４９】
また、このバーナー２１は燃料ガス供給ノズル２０４から供給される燃料ガス及び、各ガス供給孔２０７〜２１０から供給される助燃性ガスを旋回させながら供給して内部円筒２０２内にて混合しているので、これらのガスを乱流混合によって強制的に混合させることができる。このような強制的な混合の結果、燃料ガス中のＤＭＥ分子と酸素との接触効率が向上し、助燃性ガス中の酸素が低濃度であっても燃料ガスを燃焼させることが可能となる。
また、ボイラー５やシフト反応部３についても、図５、図６に示したものとほぼ同様の構成のバーナー５１、３１を備えており、酸素濃度の低い助燃性ガスを利用して燃料ガスを燃焼させることができる。
【００５０】
このように改質反応部２、ボイラー５、シフト反応部３が低酸素バーナー２１、５１、３１を備えていることにより、水素製造装置１は起動時における各バーナー２１、５１、３１への助燃性ガスの供給経路を直列に接続することが可能となる。なお、エアコンプレッサー８からの空気を助燃性ガスとして供給される選択酸化反応部４のバーナー４１については、通常のバーナーを採用すればよい。
【００５１】
以上に説明した起動時における燃料ガス、助燃性ガスの供給システムに対し、通常運転時には燃料ガス、助燃性ガスの供給経路が図４（ｂ）に示した経路となるように切替弁８００ａ、８００ｂを切り替えることによって、燃料ガスやエアコンプレッサー８からの空気は改質反応部２のバーナー２１にのみ供給され、他のバーナー４１、５１、３１は使用せずに水素製造装置１を稼動させるシステムとなる。
【００５２】
図１に示した水素製造装置１の全体システムに戻って、燃料ガス供給システム、助燃性ガス供給システム及び各バーナー２１、３１、４１、５１の起動時における作用について説明する。今、例えば水素製造装置１が停止して冷機状態となっているとき、水素製造装置１燃料ガス供給路７０１や助燃性ガスのガス流路８０１〜８０９は、切替弁８００ａ、８００ｂによって図４（ａ）に示す状態となっている。
【００５３】
そして水素製造装置１の起動を開始すると、燃料供給部７から各バーナー２１、３１、４１、５１への燃料ガスの供給を開始すると共に、エアコンプレッサー８より選択酸化反応部４のバーナー４１に対して空気の供給を開始し、その後各バーナー２１、３１、４１、５１を点火する。このとき、例えば図７（ａ）に示すように選択酸化反応部４のバーナー４１には、エアコンプレッサー８からほとんど温度変化のない助燃性ガス（空気）が供給されると共に、燃料の供給量もほぼ一定の条件下で燃焼が行われる。そして当該バーナー４１からの排ガス温度は単調に上昇し、やがて一定温度となる。
【００５４】
一方、後段の改質反応部２のバーナー２１には、上記選択酸化反応部４の選択酸化反応器４２の昇温に利用した後の排ガスを当該バーナー２１の助燃性ガスとして供給しているので、図７（ｂ）に示すように当該助燃性ガス（排ガス）の温度も時間の経過と共に上昇していく。このような助燃性ガスの温度上昇に伴って、当該排ガス自体を所定温度まで昇温するエネルギーが小さくなるので、バーナー２１の燃焼排ガス温度を一定温度に維持するのに必要な燃料ガスの量は少なくなる。そこで本実施の形態に係る水素製造装置１においては、バーナー２１における燃焼排ガス温度を一定とするため、助燃性ガス（選択酸化反応部４からの排ガス）の温度が上昇するに従って、改質反応部２のバーナー２１への燃料ガスの供給量を少なくする制御を行っている。
【００５５】
このような燃料ガスの供給量の制御は、例えば水素製造装置１の設計段階における実験やシミュレーションなどによって選択酸化反応部４からの排ガスの温度上昇プロファイルを予め把握しておくことにより、改質反応部２のバーナー２１の燃焼排ガス温度を一定にすることができる燃料ガスの供給量プロファイルを把握し、この燃料ガス供給プロファイルが再現されるように、起動時における燃料ガスの供給量を設定する場合等が考えられる。このような制御法によれば、例えばバーナー２１の燃焼排ガスの温度をフィードバックして燃料ガスの供給量を減少させる手法と比較して、排ガス温度を制御する温度調節器等が不要となり、制御系の構成を簡素にすることができる。なお、バーナー２１からの排ガスの温度を計測して燃料ガスの供給量にフィードバックさせる制御を行ってもよいことは勿論である。
【００５６】
以上の動作と並行して、ボイラー５のバーナー５１には、上記改質反応部２からの排ガスが助燃性ガスとして供給され、更にシフト反応部３のバーナー３１にはこのボイラー５からの排ガスが助燃性ガスとして供給される。このため、図７（ｃ）及び図７（ｄ）に夫々示すように、これらのバーナー５１、３１に供給される助燃性ガスの温度も上昇することになるため、既述の選択酸化反応部４のバーナー４１と同様に、助燃性ガスの温度上昇に合わせて、バーナー５１、３１に供給する燃料ガスの供給量を減少させ、燃焼排ガス温度を一定に保つ制御が行われる。
【００５７】
以上に説明したように、起動期間中、４つのバーナー２１、３１、４１、５１を燃焼させ、その排ガスによって各反応器２２、３２、４２及びボイラー５の温度を予め定めた温度まで上昇させたら、切替弁８００ａ、８００ｂを切り替える。これにより改質反応部２のバーナー２１においては空気を助燃性ガスとする燃焼を継続する一方、起動時用の３つのバーナー３１、４１、５１については燃焼を停止する。そして改質反応器２２へのＤＭＥ等の反応ガスの供給を開始し、製造した水素を燃料電池へと供給する通常運転に移行する。
【００５８】
以上に説明した本実施の形態に係る水素製造装置１によれば、以下の効果がある。通常運転時に利用するバーナー２１を備えている改質反応部２に加えて、シフト反応部３、選択酸化反応部４やボイラー５にも起動用のバーナーを備えているので、当該装置の起動時には、これらのバーナー３１、４１、５１を利用して改質反応器２２以外の各反応器３２、４２およびボイラー５も短時間で昇温することができ、水素の製造を開始するまでの時間を短縮できる。
【００５９】
また当該起動方法においては、前段のバーナー４１、２１、５１で燃焼した後の排ガスを後段のバーナー２１、５１、３１の助燃性ガスとして再利用するように、各バーナーの助燃性ガス供給口（例えば図５に示した助燃性ガス供給管２０３）に助燃性ガスを順次、直列に供給している。このため、夫々のバーナー２１、３１、４１、５１にて燃料供給量、助燃性ガス供給量を制御する場合に比べて制御対象が少なく、装置構成及び制御内容を簡素にすることが可能となり、装置コストの低減及び装置の小型化に貢献できる。更には、各バーナー２１、３１、４１、５１に助燃性ガスを独立に供給する場合と比較して助燃性ガス中の酸素をより有効に利用しているので、例えば空気を供給するコンプレッサー８等の機器を小型化することが可能となり、装置コストの低減につながる。
【００６０】
なお、各反応器に起動用のバーナー２１、３１、４１、５１を設ける本発明を適用可能な水素製造装置は、上述の実施の形態に示したタイプの水素製造装置１に限定されるものではない。例えば改質反応部２に通常運転時用のバーナーを備えていないタイプの水素製造装置、具体例としては改質反応器２２内における反応に、部分酸化反応を併用して、改質反応に必要な熱を反応熱によって供給する内部加熱型の水素製造装置についても、起動用のバーナーを備えている場合が多い。このような水素製造装置にも本発明は適用することができる。
【００６１】
また、空気を助燃性ガスとして供給するバーナーや、その下流のバーナーの配列も実施の形態中に示したものには限定されず、例えば改質反応部２のバーナー２１をエアコンプレッサー８に接続し、ボイラー５→シフト反応部３→選択酸化反応部４の順にこれらのバーナー５１、３１、４１に順次上流側のバーナー２１、５１、３１の排ガスを助燃性ガスとして供給するように構成してもよい。また、上流側のバーナー４１に供給される助燃性ガスは空気に限られず、例えば液体酸素等を気化して用いてもよい。更には水素原料流体についても実施の形態中に示したＤＭＥに限られるものではなく、例えばメタノール、液化石油ガス、天然ガス、灯油、軽油等を水素原料流体として水素を製造してもよい。例えばメタノールを用いる場合には、改質反応器２２の温度は例えば約２００℃程度となる等、改質反応器２２、シフト反応器３２、選択酸化反応器４２等の温度には、各水素原料流体に適した温度が適用される。
【００６２】
また、ボイラー５に備えているバーナー５１は起動用に限定されず、通常運転時の蒸気発生用の熱源としてもよい。更には、反応器４、２、ボイラー５からの排ガスを助燃性ガスとして利用する各バーナー２１、５１、３１における燃料ガスの供給量制御は、図７（ｂ）〜図７（ｄ）に示したように連続的に調整する場合に限定されず、例えば所定時間の経過毎に燃料ガスの供給量をステップ的に変化させるようにしてもよい。
【００６３】
更にまた本実施の形態に係る水素製造装置１は、図４（ａ）、図４（ｂ）に例示したように、起動時と通常運転時とで助燃性ガスの供給経路を切り替えるように構成されているが、このような切り替えを行わなくてもよい。例えば助燃性ガスの供給経路については、通常運転時においても図４（ａ）に示した状態のままとし、選択酸化反応部４、ボイラー５、シフト反応部３の各バーナー４１、５１、３１の燃焼を停止してから改質反応部２のバーナー２１には選択酸化反応部４を介して助燃性ガスを供給し、また、改質反応部２からの排ガスはボイラー５、シフト反応部３を通流させた後に排気するようにしてもよい。
【実施例】
【００６４】
（実験１）  
図１及び図９にて説明した構成を備える水素製造装置１、１００を製作し、各反応器２２、３２、４２、ボイラー５が通常運転を開始可能になるまでに要する時間を計測した。
【００６５】
Ａ．実験条件  
冷機状態（約２０℃）から、改質反応器２２の温度がＴ１＝３５０℃、ボイラー５温度がＴ２＝３００℃、シフト反応器３２の温度がＴ３＝２００℃、選択酸化反応器４２の温度がＴ４＝１２０℃に到達し、通常運転が可能となるまでの時間を計測した。  
（実施例）  
図１等を用いて説明した、各反応器２２、３２、４２、ボイラー５に起動用のバーナー２１、３１、４１、５１を備え、これらのバーナー２１、３１、４１、５１の助燃性ガス供給経路を直列に接続した水素製造装置１を製作し、各機器２〜５が上記所定の温度に到達するまでの時間を計測した。  
（比較例）  
図９を用いて説明した改質反応器２２のみに通常運転用のバーナー２１を備えた水素製造装置１００を製作し、各機器２〜５が上記所定の温度に到達するまでの時間を計測した。
【００６６】
Ｂ．実験結果
実施例、比較例の実験結果を図８（ａ）、図８（ｂ）に示す。これらのグラフは、横軸がバーナー２１、３１、４１、５１の燃焼を開始してからの経過時間、縦軸が各反応器２２、３２、４２及びボイラー５の温度を示している。実施例の結果によれば、各反応器２２、３２、４２及びボイラー５がＴ１〜Ｔ４の温度に到達するまでの時間ｔ１、およそ５分であったのに対し、比較例においては同様の時間ｔ２が約３０分であった。
【００６７】
また、図８（ｂ）に示すように改質反応部２のバーナー２１排ガスのみを各反応器等３２、４２、５の熱源とする比較例の水素製造装置１００においては、シフト反応器３２、選択酸化反応器４２の温度を所定のＴ３、Ｔ４まで昇温するため、改質反応器２２及びボイラー５の温度を、通常運転の開始に必要な温度Ｔ１、Ｔ２よりも高い温度にまで昇温しなければならず温度制御性が悪い。これに比べて各反応器２〜４、ボイラー５にバーナー２１、３１、４１、５１を備える実施の形態に係る水素製造装置１は、夫々の反応器２〜４、ボイラー５について設定どおりの温度に調節することができており、温度制御性にも優れている。
【図面の簡単な説明】
【００６８】
【図１】実施の形態に係る水素製造装置の構成例を示す説明図である。
【図２】上記水素製造装置に搭載される改質反応器の概略構造を示す斜視断面図である。
【図３】上記改質反応器の詳細構造を示す斜視図である。
【図４】上記水素製造装置の燃料供給システム及び助燃性ガス供給システムの構成例を示す説明図である。
【図５】上記水素製造装置に搭載される低酸素バーナーの構造を示す第１の縦断面図である。
【図６】上記低酸素バーナーの構造を示す第２の縦断面図である。
【図７】上記水素製造装置の起動時における、各バーナーの燃焼排ガス温度、助燃性ガス温度及び燃料供給量の変化を示す説明図である。
【図８】実施例及び比較例に係る水素製造装置の起動時における各反応器、ボイラーの昇温特性等を示す特性図である。
【図９】従来の水素製造装置の構成例を示す説明図である。
【符号の説明】
【００６９】
１、１００
水素製造装置
２          改質反応部
３          シフト反応部
４          選択酸化反応部
５          ボイラー
６          原料供給部
７          燃料供給部
８          エアコンプレッサー
９          制御部
２１        バーナー
２２        改質反応器
２３        反応空間
２４        排ガス通流空間
３１        バーナー
３２        シフト反応器
４１        バーナー
４２        選択酸化反応器
５０        ボイラー給水部
５１        バーナー
７１        流量制御部
８１        流量制御部
【図１】
2009114042.tif 000005
【図２】
2009114042.tif 000006
【図３】
2009114042.tif 000007
【図４】
2009114042.tif 000008
【図５】
2009114042.tif 000009
【図６】
2009114042.tif 000010
【図７】
2009114042.tif 000011
【図８】
2009114042.tif 000012
【図９】
2009114042.tif 000013
【手続補正書】
【提出日】平成19年11月13日(2007.11.13)
【手続補正１】
【補正対象書類名】明細書
【補正対象項目名】００１６
【補正方法】変更
【補正の内容】
【００１６】
当該水素製造装置においては、前記一のバーナーは、選択酸化反応器を加熱するためのバーナーであり、前記排ガス流路は、選択酸化反応器、改質反応器、ボイラー、シフト反応器の順に、前記助燃性ガスが助燃性ガス供給口に直列に供給されるように、前段の各反応器またはボイラーからの排ガスの出口と、後段のバーナーの助燃性ガス供給口とを接続することが好ましい。また、前記制御部は、前段のバーナーが設けられた反応器またはボイラーを加熱した後の排ガスの温度上昇に伴って、当該排ガスが助燃性ガスとして供給される後段のバーナーへの燃料の供給量を低減するように前記燃料供給部を制御するとよい。更に、前段のバーナーが設けられた反応器またはボイラーを加熱した後の排ガスが助燃性ガスとして供給される後段のバーナーは、当該排ガス中に含まれている酸素の濃度が１０体積％以上、２０体積％以下の範囲で燃料を燃焼可能であることが好ましい。